(57)【要約】  本発明は、家具、特に台所用の家具に関し、この家具は、家具本体（１）と、家具の上又は中に設けられた少なくとも１つの電気機器と、家具本体（１）に固定されたブラケット（２，２２）とを備えている。前記ブラケット（２，２２）は、少なくとも１つの電気導体（４）を有し、電気ネットワークを形成し、隣接する家具のブラケット（２，２２）に接続できる。その結果、家具にネットワーク化された電力の供給を、複数のブラケット（２，２２）の接続によって可能とする。【選択図】  図１
2009534068.tif 000002
【特許請求の範囲】
【請求項１】
家具本体（１）と、少なくとも１つの電気機器とを有する、特に台所用の家具であって、前記電気機器は当該家具上又は当該家具内に設けられ、前記家具本体に固定されたブラケット（２，２２）を有している、前記家具において、
前記ブラケット（２，２２）が、電気ネットワークを設けるために少なくとも１本の電気配線（４）を有し、隣接する家具の前記ブラケット（２，２２）に接続可能になっていることを特徴とする家具。
【請求項２】
前記ブラケット（２，２２）が、差込形の接続具を介して、前記隣接する家具における前記ブラケット（２，２２）に接続可能になっていることを特徴とする請求項１に記載の家具。
【請求項３】
前記ブラケット（２，２２）が、前記家具本体における２つの側壁（７，８）の間に配置されていることを特徴とする請求項１又は２に記載の家具。
【請求項４】
前記ブラケット（２，２２）が、電力の分配のために、少なくとも１つの接触片（６，２６）に接続されていることを特徴とする請求項１〜３のいずれか一項に記載の家具。
【請求項５】
前記接触片が、少なくとも１つのプリント導体（１３）を有し、該プリント導体は外的に接触することを特徴とする請求項４に記載の家具。
【請求項６】
前記ブラケット（２，２２）のそれぞれが、一側にプラグ（３）を有し、他側には、前記プラグ（３）と合致するソケット（５）を有していることを特徴とする請求項１〜５のいずれか一項に記載の家具。
【請求項７】
２つのブラケット（２，２２）が、結合要素（１０）を介して、互いに接続可能になっていることを特徴とする請求項１〜５のいずれか一項に記載の家具。
【請求項８】
前記ブラケット（２，２２）のそれぞれに、電力を伝達するための２本の配線（４）が設けられていることを特徴とする請求項１〜７のいずれか一項に記載の家具。
【請求項９】
前記ブラケット（２，２２）のそれぞれが、データ伝送のための少なくとも１本の配線を有していることを特徴とする請求項１〜８のいずれか一項に記載の家具。
【請求項１０】
前記接触片（６，２６）が、複数の隣接する前記プリント導体を有していることを特徴とする請求項１〜９のいずれか一項に記載の家具。
【請求項１１】
前記接触片（６，２６）が、１つ以上のばね荷重接触ピン（１５，１５’）によって接触することを特徴とする請求項１〜１０のいずれか一項に記載の家具。
【請求項１２】
前記ブラケット（２２）と前記接触片（１６）とが、アダプタ（４０）を介して、互いに接続され、前記アダプタは特定の配線を互いに接続することを特徴とする請求項１〜１１のいずれか一項に記載の家具。
【発明の詳細な説明】
【技術分野】
【０００１】
本発明は、家具、特に、台所用の家具に関し、この家具は、家具本体と、家具の上又は中に設けられる少なくとも１つの電気機器と、家具本体に固定されたブラケットとを有しているものである。
【背景技術】
【０００２】
独国特許公報ＤＥ ２９５ ０９ ６９６号から知られている棚においては、据付配線が裏壁に取り付けられ、据付配線は、ブッシングを通して、ジョイントに配置される。電源のために、そうした据付配線を配置することは、比較的複雑である。これは、個々のケーブルを家具に固定しなければならないためである。加えて、そうした配線の配置は、電気技術者の責任の領域にあり、家具の製造者による更なる手段なしには、実行されない。
【発明の開示】
【発明が解決しようとする課題】
【０００３】
従って、本発明の目的は、簡単な方法で家具に電力分配を許容するような電源供給を有してなる、家具を提供することである。
【課題を解決するための手段】
【０００４】
この目的は、請求項１の特徴を有している、家具によって達成される。
【０００５】
本発明によれば、家具は、ブラケットを備え、ブラケットは、少なくとも１本の電気配線を有し、これは、電気ネットワークを形成するために、隣接する家具のブラケットに接続可能になっている。個々の家具の部品、吊下されるキャビネットなどは、従って、組み立てることができ、接触される電力ネットワークは、取付け後に、既にブラケットに設けられる。そして、この電力ネットワークは、ライトの電源、ドライブ、又は、その他の電気機器のために使用することができる。家具の機械的な固定を実行し、次にケーブルを別々に配置することは必要ではない。
【０００６】
本発明の好ましい設計によれば、ブラケットは、プラグ接続を介して、隣接する家具のブラケットに接続される。従って、工具なしでの家具の取り付けを実行することができ、プラグ接続を介して、ブラケットの電気接触が生じる。ブラケットは、家具本体の２つの側壁の間に配置されることができ、隣接する吊下キャビネット、床取付キャビネット、又は、その他の家具は、特に台所領域における取付けの直後に、電力ネットワークを有することができる。
【０００７】
家具における簡単な電力分配のために、ブラケットは、少なくとも１つの接触片に接続することができる。接触片は、ブラケットに対して垂直に配置されることができ、例えば、家具の様々な箇所で、電気接触が可能である。接触片は、少なくとも１つのプリント導体を有することができ、これは、電力分配のために、外的に接触されることができる。従って、電力は、所望の位置から取り出すことができる。
【０００８】
隣接する家具の簡単な接続のために、ブラケットは、一側にプラグを有し、他側に、プラグに合致するソケットを有することができる。結合要素を介して、２つのブラケットを互いに電気的に接続することが可能である。
【０００９】
ブラケットは、電力回路を作る電力伝達のために、２本のラインを有することができる。加えて、好ましくは、配線は、データ伝達のためにも設けられ、電気機器を制御することができる、例えば、時間回路又は中央に配置されたコントローラを使用して、例えば、自動化安全技術に代表的なフィールドバスシステムを採用している。
【００１０】
電気接触のために、接触片は、複数の隣接するプリント導体を有することができ、これは、１以上のばね荷重接触ピンを介して、接触されることができる。従って、電力ネットワークは、標準的な要素を介して、家具に設けることができる。
【００１１】
以下、本発明について、添付図面を参照して、複数の例示的な実施形態に基づいて、詳細に説明する。
【発明を実施するための最良の形態】
【００１２】
家具本体１は、ブラケット２を備え、例えば、ブラケットは、プラスチック又は木材から作られ、これに、電気配線４が配置されて、裏壁に、電力ネットワークを形成している。ブラケット２は、自由に、すなわち、裏壁なしで、配置してもよい。ブラケット２は、一端にプラグ３を有し、他端にソケット５を有している。ブラケット２は、水平に配置され、好ましくは、中央領域において、垂直に配置された接触片６に接続されている。接触片６には、プリント導体１３が設けられ、プリント導体は、外的に接触されて、電気機器に電力を供給することができる。図示の例示的な実施形態においては、３本の配線が設けられ、２本の配線は電源に使用されて、電圧が印加され、１本の配線は、制御装置のためのデータ配線として設けられている。もちろん、ブラケット２及び接触片６に、２本だけの、又は、２本を越える配線を設けることも可能である。
【００１３】
図２は、可能な据付状況を示しており、２つの隣接する家具１、例えば、吊下キャビネットに、ブラケット２が設けられ、２つの側壁７及び８の間に延在している。ブラケット２におけるソケット５は、側壁７の領域に配置され、一方、プラグ３は、隣接する家具１の側壁８から突出している。接続のためには、単にプラグ３をソケット５に差し込めば、２つの家具１は、電力ネットワークを形成する。そして、家具１は、さらに別の家具の部品に接続されることもできる。
【００１４】
図３は、変更された接続の設計を示しており、２つのブラケット２のそれぞれに、ソケット５が設けられている。接続要素は、電気接触のために設けられ、接続部分１１を用いて第１のソケット５に差し込まれることができ、また、接続部分１２を用いて第２のソケット５に差し込まれることができ、２つのブラケット２は、互いに電気的に接続されるようになっている。従って、プラグ３は、側壁８に横方向に突出させる必要がない。
【００１５】
図４は、ブラケット２’に接触するためのさらに別の設計を示しており、端部にはプラグ３’が設けられている。プラグ３’は、レバー９を介して、変位可能なように形成されており、それは交互に、側壁７又は８と面一に終端するか、又は、必要に応じて、レバー９を介して押し出されることができ、隣接するブラケット２のソケット５と接触する。
【００１６】
図５は、接触片６の詳細を示しており、これは、プリント導体１３を備えた表面に設けられ、プリント導体は外的に接触されて、電気的な接続を生じる。接触要素１４は、この目的のために設けられ、これには接触要素１５が突出しており、接触要素１５は、端部にばね部分１６を有し、これらのそれぞれは、プリント導体１３に押し付けられている。従って、電気接続は、個々のプリント導体１３と接触要素１４との間に作られる。接触要素１４は、電気機器に接続することができる。また、プリント導体１３は、汚染又は損傷からより良く保護されるために、溝部の中に配置することもできる。この溝部は、アンダーカットを有することができ、接触要素又は電気機器は、直接クリップで留められることができる。
【００１７】
図６Ａ及び図６Ｂは、変更された接触による、プリント導体１３を備えた接触片６との接触を示しており、これは、電力ネットワークを形成するために、接触要素１４’を介して、接続される。ばね荷重の接触ピン１５’が、接触要素１４’に設けられ、ばね１６を介して、外方へ予張力を加えられ、ばね１６は、接触要素１４’における肩部１７及びストッパ１８に支持されている。従って、取付公差は、より良く補償されることができる。接触ピン１５’はそれぞれ、プリント導体１３に押し付けられ、プリント導体と接触ピン１５’との間に、永久的な接続を提供する。
【００１８】
図７Ａ〜図７Ｇは、本発明による電力分配システムを有する家具について、さらに別の設計構成を示しており、引出し２０が設けられ、これは電気駆動を介して、延出又は収縮されることができ、例えば、駆動は、ブラケット２２と接触片２６とによって形成された、電源ネットワークを介して電力供給される。ブラケット２２と接触片２６とは、家具本体における裏壁に固定することができ、ブラケット２２は、家具本体の側壁の間に延在し、又は、裏壁が設けられないならば、上壁及び下壁に直接、結合される。
【００１９】
図７Ｂは、ブラケット２２の横方向の詳細図であって、これは、それぞれの場合に両側に、だぼ、ねじなどの機械的結合要素のための受け具を有し、一方、導管２８は中間に設けられ、そこに、電気配線、回路基板、又は、その他の電気的接続要素が受け入れられる。電気的接続要素は、前述した例示的な実施形態と同様に、接触片２６によって中間領域に接触され、接触片は、家具本体の内部で、垂直な電力分配の機能を呈する。アンダーカットが、ブラケット１２に設けられ、電気機器を固定するが、接触片２６が設けられないならば、それらはブラケット２２に取り付けることができる。
【００２０】
接触片２６の機能は、電気導体と、接続される電気機器の機械的結合との一体化である。従って、接触片２６は、裏壁が（もしもあれば）、これを安定化させる機能を有する。さらに、接触片２６は、後部に取り付けられた電気機器（例えば、引出しの駆動装置）を受け入れる。
【００２１】
図７Ｄ〜図７Ｅに示すように、接触片２６には、機械的結合要素のために、横方向の受け具２３が設けられ、一方、個々の電気導体２４は、中間領域に、互いに絶縁されて配置され、これらは、電源に、又は、データ伝達に、使用される。ブラケット２２と接触片２６とは、同一の構造を有するように実現することもできる。
【００２２】
ブラケット２２と接触片２６との間の電気接触は、差込式の接続具又は個々のプラグを介して実行され、ブラケット２２及び接触片２６の家具本体１への取付けは、家具が顧客に設置される前に、実行することができる。家具本体の取付けを介して、電気ネットワークは、自動的に設けられ、これは、ライト、ドライブなどの電気機器に接続するために接触することができる。さらに、前方への電力分配を達成することも可能であり、これは、例えば、家具の内部のさらに別のブラケット及び／又は接触片を介して行う。
【００２３】
図７Ｇには、ブラケット２２を接触片２６に接続する領域の詳細を示している。プリント導体３０、３１、及び３２は、ブラケット２２に設けられる。プリント導体は、接触片２６のプリント導体に対してオフセットして配置され、プリント導体３０、３１、及び３２は、それぞれ、接触片２６の１つのプリント導体に接続される。個々の金属製の接続要素３３、３６、及び３７は、この目的のために設けられ、接続要素３３は、プリント導体３０をプリント導体３５に接続し、プリント導体３１は接触要素３６に接続され、プリント導体３２は接触要素３７に接続されている。
【００２４】
図８Ａ及び図８Ｂは、接触片２６とブラケット２２との間のさらに別の接続を模式的に示しており、アダプタ４０は、個々のプリント導体３０、３１、及び３２が、接触片２６の対応するプリント導体に接続されることを確保し、接触要素３３、３６、及び３７に代えて設けられる。この目的のために、アダプタは、互いに間隔を隔てて延びる、プリント導体４１、４２、４３を有し、これらはそれぞれ、１つのプリント導体３０、３１、及び３２に接続されている。アダプタ４０は、差込式接合具を介して、接触片２６に接続されることができる。従って、接触片２６のブラケット２２への取付けは、容易に実行される。
【図面の簡単な説明】
【００２５】
【図１】本発明に従った、家具の詳細を示した斜視図である。
【図２】互いに結合されるべき、２つの家具の部品を示している。
【図３】変更された実施形態による２つの家具の部品における接続領域を示した詳細図である。
【図４】接続領域の変更構成を示した斜視図である。
【図５】接触片の領域を示した斜視図である。
【図６Ａ】接触片の変更された接続部を示した図である。
【図６Ｂ】接触片の変更された接続部を示した図である。
【図７Ａ】本発明による家具の変更構成を示した斜視図である。
【図７Ｂ】本発明による家具の変更構成を示した斜視図である。
【図７Ｃ】本発明による家具の変更構成を示した斜視図である。
【図７Ｄ】本発明による家具の変更構成を示した斜視図である。
【図７Ｅ】本発明による家具の変更構成を示した斜視図である。
【図７Ｆ】本発明による家具の変更構成を示した斜視図である。
【図７Ｇ】本発明による家具の変更構成を示した斜視図である。
【図７Ｈ】本発明による家具の変更構成を示した斜視図である。
【図８Ａ】接触片とブラケットとの間のさらに別の接続を模式的に示す図である。
【図８Ｂ】接触片とブラケットとの間のさらに別の接続を模式的に示す図である。
【図１】
2009534068.tif 000003
【図２】
2009534068.tif 000004
【図３】
2009534068.tif 000005
【図４】
2009534068.tif 000006
【図５】
2009534068.tif 000007
【図６Ａ】
2009534068.tif 000008
【図６Ｂ】
2009534068.tif 000009
【図７Ａ】
2009534068.tif 000010
【図７Ｂ】
2009534068.tif 000011
【図７Ｃ】
2009534068.tif 000012
【図７Ｄ】
2009534068.tif 000013
【図７Ｅ】
2009534068.tif 000014
【図７Ｇ】
2009534068.tif 000015
【図７Ｈ】
2009534068.tif 000016
【図８Ａ】
2009534068.tif 000017
【図８Ｂ】
2009534068.tif 000018
【国際調査報告】
2009534068.tif 000019
2009534068.tif 000020
2009534068.tif 000021
2009534068.tif 000022